【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
物体側より順に、正の屈折力の第１レンズ群、ズーミングに際し移動する負の屈折力の第２レンズ群、正の屈折力の第３レンズ群、ズーミングに際し移動する正の屈折力の第４レンズ群を有したズームレンズにおいて、
開口を形成する絞り羽根と、該開口を通過する光の光量を減衰するフィルター部材とを有する絞り装置が該第３レンズ群の物体側に設けられており、該フィルター部材を、光軸に対して傾斜して配置することを特徴とするズームレンズ。
【請求項２】
前記フィルター部材は、透過率が場所により異なっていることを特徴とする請求項１のズームレンズ。
【請求項３】
前記フィルター部材の光軸に対する傾斜角をθ（°）、広角端と望遠端における全系の焦点距離を各々ｆｗ，ｆｔ、全系の焦点距離がｆMのときの前記第３レンズ群と第４レンズ群の合成系の合成焦点距離、横倍率を各々ｆ34，β34、全系の焦点距離がｆMのときの画角をωMとするとき、
tan-1[０．４・ｆM・tanωM・（１＋｜β34｜）／ｆ34]＜θ＜１５
ただし、
【数１】
2003255438.tif 000001
なる条件式を満足することを特徴とする請求項１又は２のズームレンズ。
【請求項４】
前記第２レンズ群の焦点距離をｆ2とするとき、
０．１  ＜  ｜ｆ2／ｆM｜  ＜  ０．５
なる条件式を満足することを特徴とする請求項１から３のいずれか１項に記載のズームレンズ。
【請求項５】
前記絞り羽根は、光軸に対し垂直に配置されていることを特徴とする請求項１から４のいずれか１項に記載のズームレンズ。
【請求項６】
前記絞り羽根は前記フィルター部材の光軸に対する傾斜方向と同一方向に傾斜して配置されていることを特徴とする請求項１から４のいずれか１項に記載のズームレンズ。
【請求項７】
前記絞り装置は複数の絞り羽根を有し、該複数の絞り羽根の相対的な位置を変えることにより開口の面積が変化することを特徴とする請求項１から６のいずれか１項に記載のズームレンズ。
【請求項８】
前記フィルター部材は前記複数の絞り羽根の１つに固定されていることを特徴とする請求項１から７のいずれか１項に記載のズームレンズ。
【請求項９】
固体撮像素子上に像を形成することを特徴とする請求項１から８のいずれか１項に記載のズームレンズ。
【請求項１０】
物体側より順に、正の屈折力の第１レンズ群、ズーミングに際し移動する負の屈折力の第２レンズ群、正の屈折力の第３レンズ群、ズーミングに際し移動する正の屈折力の第４レンズ群を有したズームレンズと、該ズームレンズによって形成する像を受光する固体撮像素子とを有する撮像装置において、
開口を形成する絞り羽根と、該開口を通過する光の光量を減衰するフィルター部材とを有する絞り装置が該第３レンズ群の物体側に設けられており、該フィルター部材を、光軸に対して傾斜して配置することを特徴とする撮像装置。
【請求項１１】
前記固体撮像素子の有効撮像面は矩形であり、前記フィルター部材を前記有効撮像面の短手方向に対して傾斜して配置することを特徴とする請求項１０の撮像装置。
【請求項１２】
前記フィルター部材の光軸に対する傾斜角をθ（°）、広角端と望遠端における前記ズームレンズの焦点距離を各々ｆｗ，ｆｔ、前記ズームレンズの焦点距離がｆMのときの前記第３レンズ群と第４レンズ群の合成系の合成焦点距離、横倍率を各々ｆ34，β34、前記ズームレンズの焦点距離がｆMのときの前記有効撮像面の短手方向の画角をωMとするとき、
tan-1[０．４・ｆM・tanωM・（１＋｜β34｜）／ｆ34]＜θ＜１５
ただし、
【数２】
2003255438.tif 000002
なる条件式を満足することを特徴とする請求項１１の撮像装置。
【手続補正２】
【補正対象書類名】明細書
【補正対象項目名】００１１
【補正方法】変更
【補正の内容】
【００１１】
【課題を解決するための手段】
請求項１の発明のズームレンズは、物体側より順に、正の屈折力の第１レンズ群、ズーミングに際し移動する負の屈折力の第２レンズ群、正の屈折力の第３レンズ群、ズーミングに際し移動する正の屈折力の第４レンズ群を有したズームレンズにおいて、
開口を形成する絞り羽根と、該開口を通過する光の光量を減衰するフィルター部材とを有する絞り装置が該第３レンズ群の物体側に設けられており、該フィルター部材を、光軸に対して傾斜して配置することを特徴としている。
【手続補正３】
【補正対象書類名】明細書
【補正対象項目名】００１２
【補正方法】変更
【補正の内容】
【００１２】
請求項２の発明は、請求項１の発明において、前記フィルター部材は、透過率が場所により異なっていることを特徴としている。
【手続補正４】
【補正対象書類名】明細書
【補正対象項目名】００１３
【補正方法】変更
【補正の内容】
【００１３】
請求項３の発明は、請求項１又は２の発明において、前記フィルター部材の光軸に対する傾斜角をθ（°）、広角端と望遠端における全系の焦点距離を各々ｆｗ，ｆｔ、全系の焦点距離がｆMのときの前記第３レンズ群と第４レンズ群の合成系の合成焦点距離、横倍率を各々ｆ34，β34、全系の焦点距離がｆMのときの画角をωMとするとき、
tan-1[０．４・ｆM・tanωM・（１＋｜β34｜）／ｆ34]＜θ＜１５
ただし、
【数３】
2003255438.tif 000003
なる条件式を満足することを特徴としている。
【手続補正５】
【補正対象書類名】明細書
【補正対象項目名】００１４
【補正方法】変更
【補正の内容】
【００１４】
請求項４の発明は、請求項１から３のいずれか１項の発明において、前記第２レンズ群の焦点距離をｆ2とするとき、
０．１  ＜  ｜ｆ2／ｆM｜  ＜  ０．５
なる条件式を満足することを特徴としている。
【手続補正６】
【補正対象書類名】明細書
【補正対象項目名】００１５
【補正方法】変更
【補正の内容】
【００１５】
請求項５の発明は、請求項１から４のいずれか１項の発明において、前記絞り羽根は、光軸に対し垂直に配置されていることを特徴としている。
【手続補正７】
【補正対象書類名】明細書
【補正対象項目名】００１６
【補正方法】変更
【補正の内容】
【００１６】
請求項６の発明は、請求項１から４のいずれか１項の発明において、前記絞り羽根は前記フィルター部材の光軸に対する傾斜方向と同一方向に傾斜して配置されていることを特徴としている。
【手続補正８】
【補正対象書類名】明細書
【補正対象項目名】００１７
【補正方法】変更
【補正の内容】
【００１７】
請求項７の発明は、請求項１から６のいずれか１項の発明において、前記絞り装置は複数の絞り羽根を有し、該複数の絞り羽根の相対的な位置を変えることにより開口の面積が変化することを特徴としている。
【手続補正９】
【補正対象書類名】明細書
【補正対象項目名】００１８
【補正方法】変更
【補正の内容】
【００１８】
請求項８の発明は、請求項１から７のいずれか１項の発明において、前記フィルター部材は前記複数の絞り羽根の１つに固定されていることを特徴としている。
【手続補正１０】
【補正対象書類名】明細書
【補正対象項目名】００１９
【補正方法】変更
【補正の内容】
【００１９】
請求項９の発明は、請求項１から８のいずれか１項の発明において、固体撮像素子上に像を形成することを特徴としている。
【手続補正１１】
【補正対象書類名】明細書
【補正対象項目名】００２０
【補正方法】変更
【補正の内容】
【００２０】
請求項１０の発明の撮像装置は、物体側より順に、正の屈折力の第１レンズ群、ズーミングに際し移動する負の屈折力の第２レンズ群、正の屈折力の第３レンズ群、ズーミングに際し移動する正の屈折力の第４レンズ群を有したズームレンズと、該ズームレンズによって形成する像を受光する固体撮像素子とを有する撮像装置において、
開口を形成する絞り羽根と、該開口を通過する光の光量を減衰するフィルター部材とを有する絞り装置が該第３レンズ群の物体側に設けられており、該フィルター部材を、光軸に対して傾斜して配置することを特徴としている。
【手続補正１２】
【補正対象書類名】明細書
【補正対象項目名】００２１
【補正方法】変更
【補正の内容】
【００２１】
請求項１１の発明は、請求項１０の発明において、前記固体撮像素子の有効撮像面は矩形であり、前記フィルター部材を前記有効撮像面の短手方向に対して傾斜して配置することを特徴としている。
【手続補正１３】
【補正対象書類名】明細書
【補正対象項目名】００２２
【補正方法】変更
【補正の内容】
【００２２】
請求項１２の発明は、請求項１１の発明において、前記フィルター部材の光軸に対する傾斜角をθ（°）、広角端と望遠端における前記ズームレンズの焦点距離を各々ｆｗ，ｆｔ、前記ズームレンズの焦点距離がｆMのときの前記第３レンズ群と第４レンズ群の合成系の合成焦点距離、横倍率を各々ｆ34，β34、前記ズームレンズの焦点距離がｆMのときの前記有効撮像面の短手方向の画角をωMとするとき、
tan-1[０．４・ｆM・tanωM・（１＋｜β34｜）／ｆ34]＜θ＜１５
ただし、
【数４】
2003255438.tif 000004
なる条件式を満足することを特徴としている。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】